(57)【特許請求の範囲】
【請求項１】
内層ゴム，少なくとも一層以上の補強層，外層ゴムを順次積層させて中空筒状に成形して成る防舷材本体と、該防舷材本体の両端部に設けた取付け固定板及び受衝板取付け板とで構成して成る空気式防舷材において、前記防舷材本体と取付け固定板及び受衝板取付け板とを分割可能に構成し、前記防舷材本体の両端部に補強層を折り返してビード部を形成し、前記取付け固定板及び受衝板取付け板の内側周縁部に、前記ビード部を内側から包み込むように形成された断面Ｌ字状の押さえ金具を設けるとともに、前記ビード部を外側から押さえ込む断面三角形状の押さえ金具を、該断面三角形状の斜面を前記断面Ｌ字状の押さえ金具に対向させて設け、該断面Ｌ字状の押さえ金具と断面三角形状の押さえ金具とにより、防舷材本体のビード部を着脱可能で、かつ気密的に保持する構成にし、前記取付け固定板に、断面三角形状の押さえ金具の外側面に当接させて防舷材本体の過圧縮防止用のゴム状弾性ストッパーリングを設けたことを特徴とする空気式防舷材。
【請求項２】
前記内層ゴムに替えて前記防舷材本体の内側に空気袋を内装し、該空気袋を気密室とした請求項１に記載の空気式防舷材。
【発明の詳細な説明】
【０００１】
【発明の属する技術分野】
この発明は、岸壁固定用の空気式防舷材にかかわり、更に詳しくは防舷材本体が損傷したり、空気漏れ等が生じた場合に、防舷材本体のみを交換することが出来る空気式防舷材に関するものである。
【０００２】
【従来の技術】
従来、岸壁固定用の空気式防舷材としては、図３〜図６に示すように、内層ゴム１，少なくとも一層以上の補強層２（補強コード層），外層ゴム３を順次積層させて中空筒状に成形して成る防舷材本体４と、該防舷材本体４の両端部に取付けられる岸壁固定用の取付け固定板５及び受衝板取付け用の受衝板取付け板６とが加硫成形により一体的に構成されている。
【０００３】
そして、空気式防舷材を岸壁Ｇ等に固定する場合には、防舷材本体４の一方の端部に取付け固定板５を介してゴム被覆した環状のフランジ板７ａを挟持させるように配設してボルト等の締結部材８により固定し、また防舷材本体４の他方の端部にも受衝板取付け板６を介してゴム被覆した環状のフランジ板７ｂで挟持させるように配設してボルト等の締結部材８により固定するようにしている。また、９は防舷材本体４の空気室内に設けられたストッパである。
【０００４】
【発明が解決しようとする課題】
然しながら、上記のような従来の防舷材は、使用中に防舷材本体４が損傷したり、空気漏れ等が生じた場合に、防舷材本体４のみを交換することが出来ず、常に防舷材本体４を含む取付け固定板５及び受衝板取付け板６の全てを交換しなければならないために非常に高価となる問題があり、また一部損傷した場合にも現地での復旧作業もできず、全て防舷材本体１の全体を陸地に引き上げて、工場等に搬送して修理しなければならないので、多くの手間と時間がかかり、そのための費用もかかると言う問題があった。
【０００５】
この発明の目的は、防舷材本体のみを交換可能として、取付け固定板及び受衝板取付け板は流用できることから安価に交換することができ、また現地での復旧作業も容易に行うことが出来る空気式防舷材を提供することにある。
【０００６】
【課題を解決するための手段】
上記目的を達成するため本発明の空気式防舷材は、内層ゴム，少なくとも一層以上の補強層，外層ゴムを順次積層させて中空筒状に成形して成る防舷材本体と、該防舷材本体の両端部に設けた取付け固定板及び受衝板取付け板とで構成して成る空気式防舷材において、前記防舷材本体と取付け固定板及び受衝板取付け板とを分割可能に構成し、前記防舷材本体の両端部に補強層を折り返してビード部を形成し、前記取付け固定板及び受衝板取付け板の内側周縁部に、前記ビード部を内側から包み込むように形成された断面Ｌ字状の押さえ金具を設けるとともに、前記ビード部を外側から押さえ込む断面三角形状の押さえ金具を、該断面三角形状の斜面を前記断面Ｌ字状の押さえ金具に対向させて設け、該断面Ｌ字状の押さえ金具と断面三角形状の押さえ金具とにより、防舷材本体のビード部を着脱可能で、かつ気密的に保持する構成にし、前記取付け固定板に、断面三角形状の押さえ金具の外側面に当接させて防舷材本体の過圧縮防止用のゴム状弾性ストッパーリングを設けたことを要旨とするものである。
【０００７】
この発明は、上記のように構成され、防舷材本体のみを交換可能とすることで、防舷材本体が損傷したり、空気漏れ等が生じた場合にも、従来の取付け固定板及び受衝板取付け板を流用して再び防舷材本体を組付けることが出来ることから交換費用も安価となり、また現地での復旧作業も容易に行うことが出来るものである。
【０００８】
【発明の実施の形態】
以下、添付図面に基づきこの発明の実施の形態を説明する。
なお、従来例と同一構成要素は、同一符号を付して説明は省略する。
図１は、この発明を実施した空気式防舷材の断面図、図２は図１の要部拡大断面図を示し、防舷材本体１４は、内層ゴム１，少なくとも一層以上の補強層２（補強コード層），外層ゴム３を順次積層させて中空筒状に成形され、防舷材本体１４の端末部は、折り返してビード部１０が形成してある。
【０００９】
一方、岸壁固定用の取付け固定板５の内側周縁部には、前記ビード部１０を内側から包み込むように断面Ｌ字状に形成した押さえ金具１１ａと、ビード部１０を外側から押さえ込む断面三角形状の押さえ金具１１ｂとが設けてある。
【００１０】
なお、図示しないが受衝板取付け板６の内側周縁部にも、上記取付け固定板５に設けたと同様なビード部１０を内側から包み込むように断面Ｌ字状に形成した押さえ金具１１ａと、ビード部１０を外側から押さえ込む断面三角形状の押さえ金具１１ｂとが設けてある。
【００１１】
そして、取付け固定板５及び受衝板取付け板６に設けた両押さえ金具１１ａ，１１ｂで防舷材本体１４の両端部に設けたビード部１０を、着脱可能で、かつ気密的に保持するように構成してある。
【００１２】
また、押さえ金具１１ｂの外側には、ゴム状弾性体からなるストッパーリング１２を設け、防舷材本体１４の加圧縮を防止させるようにしている。また、内層ゴムを設ける代わりに防舷材本体１４の内側に、チューブ状の空気袋を内装して、気密室１５を別に設けるようにすることも出来る。
【００１３】
以上のように、防舷材本体１４と取付け固定板５及び受衝板取付け板６とを分割可能に構成し、防舷材本体１４の両端部にビード部１０を形成し、取付け固定板５及び受衝板取付け板６に、防舷材本体１４のビード部１０を着脱可能で、かつ気密的に保持する押さえ金具１１ａ，１１ｂを設けたことで、防舷材本体１４のみを交換することが可能である。
【００１４】
従って、防舷材本体１４が損傷したり、破損等により空気漏れ等が生じた場合にも、従来の取付け固定板５及び受衝板取付け板６を流用して再び防舷材本体１４を組付けることが出来、この結果、防舷材本体１４の交換費用も安価となり、また現地での復旧作業も容易に行うことが出来る。
また、押さえ金具１１ｂの外側に、ゴム状弾性体からなるストッパーリング１２を設けることで、防舷材本体１４の加圧縮を防止させることが出来る。
【００１５】
【発明の効果】
この発明は、上記のように防舷材本体と取付け固定板及び受衝板取付け板とを分割可能に構成し、前記防舷材本体の両端部に補強層を折り返してビード部を形成し、前記取付け固定板及び受衝板取付け板の内側周縁部に、前記ビード部を内側から包み込むように形成された断面Ｌ字状の押さえ金具を設けるとともに、前記ビード部を外側から押さえ込む断面三角形状の押さえ金具を、該断面三角形状の斜面を前記断面Ｌ字状の押さえ金具に対向させて設け、該断面Ｌ字状の押さえ金具と断面三角形状の押さえ金具とにより、防舷材本体のビード部を着脱可能で、かつ気密的に保持するので、防舷材本体のみを交換可能として、取付け固定板及び受衝板取付け板は流用できることから安価に交換することができ、また現地での復旧作業も容易に行うことが出来る。
【００１６】
また、前記取付け固定板に、断面三角形状の押さえ金具の外側面に当接させてゴム状弾性体からなるストッパーリングを設けることで、防舷材本体の加圧縮を防止させることが出来る。
【図面の簡単な説明】
【図１】この発明を実施した空気式防舷材の断面図である。
【図２】図１の要部拡大断面図である。
【図３】従来の空気式防舷材の一部切欠した斜視図である。
【図４】従来の空気式防舷材の断面図である。
【図５】図４のＡ部の拡大断面図である。
【図６】防舷材本体の一部切欠した斜視図である。
【符号の説明】
１  内層ゴム                      ２  補強層（補強コード層）
３  外層ゴム                      ５  取付け固定板
６  受衝板取付け板              １０  ビード部
１１ａ，１１ｂ  押さえ金具        １２  ストッパーリング
１４  防舷材本体                  １５  気密室
【図１】
0004072797.tif 000002
【図２】
0004072797.tif 000003
【図３】
0004072797.tif 000004
【図４】
0004072797.tif 000005
【図５】
0004072797.tif 000006
【図６】
0004072797.tif 000007